(57)【特許請求の範囲】
【請求項１】
空気吹き出し口より吹き出される空気の風向を調整する複数の羽根を、前記空気吹き出し口に回動自在に設けた風向調整装置であって、前記複数の羽根を互いに平行させて回動することにより、前記空気吹き出し口より吹き出される平行風の風向を調整する通常モードと、前記空気吹き出し口より吹き出される空気を、前記各羽根により拡散または集中させる風向特性モードとを設け、かつ前記通常モード及び前記風向特性モードを、モード選択手段により連続して選択自在となすと共に、前記モード選択手段により前記羽根を閉位置に回動させることにより、前記空気吹き出し口を閉じるように構成した場合、前記モード選択手段が、
通常モード及び風向特性モードを連続的に選択する１個の操作ダイアルと、前記操作ダイアルにより回転される中間ギアと、前記中間ギアに形成されたカム溝に係合された前後動自在なスライドリンクとから構成し、
かつ前記操作ダイアルにより前記中間ギアを介して前記スライドリンクを前後動させることにより、前記スライドリンクに連動された前記各羽根を、通常モード位置及び風向特性モード位置に連続的に回動させるようにしたことを特徴とする風向調整装置。
【請求項２】
前記操作ダイアルの操作部を、前記ケースの開口部に取り付けられたフィニッシャの前面に突出させると共に、前記スライドリンクに形成したガイド孔に、前記各羽根より突設した連結ピンを嵌合することにより、前記スライドリンクと前記各羽根を連動させてなる請求項１に記載の風向調整装置。
【請求項３】
前記ケースをインストルメントパネルの上部に設置してなる請求項１又は請求項２に記載の風向調整装置。
【発明の詳細な説明】
【０００１】
【発明の属する技術分野】
本発明は空気吹き出し口より吹き出される空気の風向を調整する風向調整装置に関する。
【０００２】
【従来の技術】
従来この種の風向調整装置として、例えば特許第２８４０３８２号公報に記載されたものが公知である。
【０００３】
前記公報の風向調整装置は、互いに平行する複数のルーバが回動自在に設けられた空気吹き出し口に対し、前後方向に移動自在な支持体と、この支持体に支承され、かつ支持体と直交する方向へ移動自在なリンクとを有していて、リンクに設けられたガイド溝に、ルーバより突設された連動軸が係合されている。
【０００４】
そして中央のルーバに設けられたノブを左右方向へ操作すると、空気吹き出し口より吹き出される平行風を左右方向へ風向調整が行え、ノブを上下に操作すると、支持体が前後に移動されて、リンクに形成されたガイド溝により連動軸の位置が調整され、これによって空気吹き出し口より吹き出される空気を集中させたり、拡散させる風向調整が行えるように構成されている。
【０００５】
【発明が解決しようとする課題】
しかし前記公報の風向調整装置では、空気吹き出し口より吹き出される平行風を左右方向へ調整する通常モードの風向調整と、空気を集中及び拡散させる風向特性モードの風向調整を別々の操作手段で行わなければならないため、操作が煩雑である上、操作手段の構造が複雑になるため、風向調整装置が高価になるなどの問題がある。
【０００６】
またルーバによって空気吹き出し口を閉じることができないため、空気の吹き出しを完全に遮断することができないと共に、風向調整装置を使用しないときでも空気吹き出し口が外部へ露出するため、体裁が悪いなどの問題もある。
【０００７】
本発明はかかる従来の問題点を改善するためになされたもので、平行風の風向を調整する通常モードと、空気を集中または拡散させる風向特性モードの選択が単一の操作手段で連続的に行え、しかも各羽根により空気吹き出し口を閉じることもできる風向調整装置を提供して、操作性及び見栄えの向上などを図ることを目的とするものである。
【０００８】
【課題を解決するための手段】
前記目的を達成するため本発明に係る風向調整装置は、空気吹き出し口より吹き出される空気の風向を調整する複数の羽根を、空気吹き出し口に回動自在に設けた風向調整装置であって、複数の羽根を互いに平行させて回動することにより、空気吹き出し口より吹き出される平行風の風向を調整する通常モードと、空気吹き出し口より吹き出される空気を、各羽根により拡散または集中させる風向特性モードとを設け、かつ通常モード及び風向特性モードを、モード選択手段により連続して選択自在となすと共に、モード選択手段により羽根を閉位置に回動させることにより、空気吹き出し口を閉じるように構成した場合、前記モード選択手段が、通常モード及び風向特性モードを連続的に選択する１個の操作ダイアルと、前記操作ダイアルにより回転される中間ギアと、前記中間ギアに形成されたカム溝に係合された前後動自在なスライドリンクとから構成し、かつ操作ダイアルにより中間ギアを介してスライドリンクを前後動させることにより、スライドリンクに連動された各羽根を、通常モード位置及び風向特性モード位置に連続的に回動させるようにしたものである。
【０００９】
前記構成により、モード選択手段を操作することにより、空気吹き出し口より吹き出される平行風の風向を調整する通常モードの選択と、空気吹き出し口より吹き出される空気を、拡散させて乗員に吹き出したり、集中させて吹き出す風向特性モードの選択が連続的に行えるため、操作性が向上すると共に、各羽根によって空気吹き出し口を閉じることができるため、風向調整装置を使用しないときの見栄えも向上する。
【００１５】
また、前記構成により、１個の操作ダイアルで通常モード及び風向特性モードが連続的に選択できるため、従来の別の操作手段により選択していたものに比べて操作性が格段に向上すると共に、操作ダイアルの回転をギアによりスライドリンクに伝達する構成のため、モード選択手段の動作がスムーズとなり、これによって通常モード及び風向特性モードの選択が小さな操作力で容易に行える。
【００１６】
またモード選択手段を少ない部品点数で構成できるため、組立て時の作業性がよい上、コンパクトに構成できることから、風向調整装置の小型化が図れるようになる。
【００１７】
前記目的を達成するため本発明の風向調整装置は、操作ダイアルの操作部を、ケースの開口部に取り付けられたフィニッシャの前面に突出させると共に、スライドリンクに形成したガイド孔に、各羽根より突設した連結ピンを嵌合することにより、スライドリンクと各羽根を連動させたものである。
【００１８】
前記構成により、操作ダイアルの操作部を指で回転させることにより、通常モードと風向特性モードの選択が連続的に行えるため、操作性が大変よい。
【００１９】
前記目的を達成するため本発明の風向調整装置は、ケースをインストルメントパネルの上部に設置したものである。
【００２０】
前記構成により、運転席や助手席から容易にモード選択手段を操作できるため、操作性がよいと共に、空気吹き出し口より吹き出される空気を、車室内全体に循環させることができるため、車室内の空調が良好に行えるようになる。
【００２１】
【発明の実施の形態】
本発明の実施の形態を図面を参照して詳述する。
【００２２】
図１は風向調整装置の全体的な斜視図、図２は分解斜視図、図３は縦断面図、図４はないし図７は作用説明図である。
【００２３】
風向調整装置の本体１は、前面に開口部２ａが開口された角筒状のケース２を有しており、図示しないインストルメントパネルの例えば上部に開口された空気吹き出し口の内側に、開口部２ａを前方に向けて取付けられるようになっている。
【００２４】
ケース２の開口部２ａには、複数枚の羽根３が上下方向に間隔を存して水平方向に設けられており、各羽根３の一端側に突設された軸ピン３ａは、ケース２の一方の側板２ｂに形成された切り欠き状のピン受け２ｃに回動自在に嵌合されている。
【００２５】
各羽根３の他端側には、軸ピン３ａと連結ピン３ｂが突設されていて、軸ピン３ａは他方の側板２ｂの開口縁に沿って組付けられたスペーサ４のピン受け４ａに回動自在に嵌合されていて、開口部２ａに当接されたフィニッシャ８により各軸ピン３ａがピン受け２ｃ，４ａより抜け出さないようになっている。
【００２６】
フニッシャ８は、上下方向に湾曲する板体により形成されていて、各羽根３をフニッシャ８の湾曲に沿うよう起立させた際に、各羽根３によって閉じる開口部８ａが開口されており、開口部８ａの側方には、後述する操作ダイアル６ｄの操作部６ｆが突出する長孔８ｂを形成すると共に、フニッシャ８の両側には、ケース２の一方の外側面と、カバー７の外側面に突設された係止爪７ａにそれぞれ先端部が係合する係止片８ｃが後方へ向けて突設されている。
【００２７】
スペーサ４は、ケース２の開口縁２ｄに嵌着されていて、各ピン孔４ａの近傍に、ピン受け４ａを中心とする円弧状の長孔４ｂが形成されており、各羽根３の他端に突設された連結ピン３ｂは、これら長孔４ｂを貫通して、スペーサ４の外側面に設けられたスライドリンク５の各ガイド孔５ａに嵌合されている。
【００２８】
各ガイド孔５ａはスライドリンク５の中間部に位置するガイド孔５ａがほぼ水平に、また中間部より上方に位置するガイド孔５ａがほぼヘ字形に、そして中間部より下方に位置するガイド孔５ａがほぼ逆ヘ字形に形成されていると共に、スライドリンク５の上部及び下部には突出部５ｂが後方へ突出されていて、これら突出部５ｂの基端側内側面にピン５ｃが、また先端側外側面にピン５ｄが突設されている。
【００２９】
そしてこれらピン５ｃ，５ｄのうち、基端側に突設されたピン５ｃは、ケース２の側板２ｂに形成されたほぼＣ字状の溝２ｆに嵌合され、先端側に突設されたピン５ｄは、モード選択手段６を構成する一対の中間ギア６ａにそれぞれ形成されたほぼ鎌形のカム溝６ｂに嵌合されている。
【００３０】
モード選択手段６は、空気吹き出し口より吹き出される空気の風向を調整する通常モードと、空気吹き出し口より吹き出される空気を集中または拡散させる風向特性モードとを選択するもので、ケース２の他方の側板２ａと間隔を存して平行するよう設けられたカバー７内に、前記中間ギア６ａと、これら中間ギア６ａに同時に噛合するピニオン６ｃを有する操作ダイアル６ｄが収容されいる。
【００３１】
操作ダイアル６ｄは図２及び図３に示すように、中心部に形成された軸孔６ｅが、ケース２の外側面に突設された支軸２ｇに回転自在に支承されていて、前側の外周部は操作部６ｆとなっており、この操作部６ｆはフニッシャ８に形成された長孔８ｂよりフニッシャ８の前面に突出されていて、操作部６ｆの外周面には操作位置を示す目印６ｇが、凹溝及び三角印により形成されている。
【００３２】
また操作ダイアル６ｄの後側の外周部には、ほぼ扇状のカム６ｈが突設されていて、このカム６ｈに外周面に沿って円弧状のカム溝６ｊが形成されており、カム溝６ｊの下端は操作ダイアル６ｄの中心方向へ屈曲されて、屈曲部６ｋが形成されていると共に、カム溝６ｊに、シャッタ開閉レバー９の先端に突設されたピン９ａが嵌合されている。
【００３３】
シャッタ開閉レバー９の基端側には、ピン９ａと反対方向に角柱状の軸杆９ｂが突設されていて、この軸杆９ｂはケース２の側板２ｂに開口された軸受け孔２ｈよりケース２内に突出され、ケース２内に設けられたシャッタバルブ１０の軸孔１０ａに嵌挿されている。
【００３４】
シャッタバルブ１０は、ケース２内で回動できる大きさの板体により形成されていて、軸孔１０ａの反対側に突設された軸ピン１０ｂとによりケース２の側板２ｂに回動自在に支承されおり、シャッタバルブ１０の両端部には、シャッタバルブ１０を閉鎖した際、ケース２の内面に当接して空気が漏れるのを防止するシール部材（図示せず）が取り付けられている。
【００３５】
次に前記構成された風向調整装置の作用を説明する。
【００３６】
通常モードで使用する場合は、モード選択手段６の操作ダイアル６ｄに設けられた目印６ｇの凹溝を長孔８ｂのほぼ中央にすることにより、図３に示すように通常モードを選択する。
【００３７】
これによってスライドリンク５は後進端にあって、スライドリンク５の突出部５ｂ先端に突出されたピン５ｄは、カム溝６ｂの円弧状部と屈曲部の連設部に位置しており、また各羽根３は水平状態に保持されているため、空気吹き出し口より吹き出される空気は、羽根３により水平方向の平行風に風向調整される。
【００３８】
またこの状態から、空気の吹き出し方向を例えば上方へ風向調整する場合は、操作ダイアル６ｄの操作部６ｆを上方向へ回動する。
【００３９】
これによってスライドリンク５が図４に示すように下方へと移動されるため、連結ピン３ｂを介してスライドリンク５に接続された各羽根３が軸ピン３ａを中心に反時計回り方向へ回動されて、空気吹き出し口より吹き出される空気は上方向の平行風に風向調整される。
【００４０】
さらに空気吹き出し口より吹き出される空気を拡散させて乗員に吹き出させる場合は、操作ダイアル６ｄの操作部６ｆをさらに上方向に回動して、風向特性モードを選択する。
【００４１】
これによって操作ダイアル６ｄに設けられたピニオン６ｃが中間ギア６ａを時計回り方向へ回転させるため、中間ギア６ａに形成されたカム溝６ｂの一端部によりスライドリンク５が図５に示す位置に前進されて、スライドリンク５のガイド孔５ａにより中間位置の羽根３は水平位置に保持され、中間位置より上側の羽根３は反時計回り方向へ回動されて上向きになると共に、中間位置より下側の羽根３は時計回り方向へ回動されて下向きとなるため、空気吹き出し口より吹き出される空気は、各羽根３により拡散されて乗員へ吹き出されるようになる。
【００４２】
一方図３に示す通常モードの状態から、空気の吹き出し方向を例えば下方へ風向調整する場合は、操作ダイアル６ｄの操作部６ｆを下方向へ回動する。
【００４３】
これによってスライドリンク５が図６に示すように上方へと移動されるため、連結ピン３ｂを介してスライドリンク５に接続された各羽根３が軸ピン３ａを中心に時計回り方向へ回動されて、空気吹き出し口より吹き出される空気は下方向の平行風に風向調整される。
【００４４】
さらに空気吹き出し口より吹き出される空気を遮断する場合は、操作ダイアル６ｄの操作部６ｆをさらに下方向に回動すると、操作ダイアル６ｄに設けられたピニオン６ｃが中間ギア６ａを反時計回り方向へ回転させるため、中間ギア６ａに形成されたカム溝６ｂの他端部によりスライドリンク５が図７に示す位置に前進されて、スライドリンク５のガイド孔５ａにより全ての羽根３が時計回り方向へ回動され、これによって各羽根３がフィニッシャ８の湾曲面に沿って面上に整列されてフィニシャ８の開口部８ａを閉じる。
【００４５】
同時に操作ダイアル６ｄより突設されたカム６ｊに嵌合されているピン９ａが、カム６ｊの屈曲部６kにより操作ダイアル６ｄの中心方向へ移動されて、シャッタ開閉レバー９を反時計回り方向へ回動させるため、シャッタバルブ１０がケース２内を閉鎖して空気吹き出し口より吹き出される空気をほぼ完全に遮断するようになる。
【００４６】
なお前記実施の形態では、モード選択手段６により風向特性モードを選択すると、空気吹き出し口より吹き出される空気が拡散されるようにした場合について説明したが、スライドリンク５に形成されたガイド孔５ａの向きを、スライドリンク５の中間部に位置するガイド孔５ａがほぼ水平に、また中間部より上方に位置するガイド孔５ａがほぼ逆ヘ字形に、そして中間部より下方に位置するガイド孔５ａがほぼヘ字形になるよう形成することにより、風向特性モードを選択した場合、空気吹き出し口より吹き出される空気を乗員方向へ集中させることができるようになる。
【００４７】
また図８及び図９に示す変形例のように、中間ギア６ａに形成されたカム溝６ｂの向きを前記実施の形態と逆にしてもよく、この場合図８に示すように平行風を上向きに調整するとスライドリンク５が前進端に達し、さらに操作ダイアル５ｄを上方向へ回転すると、スライドリンク５が図９に示すように後進して、空気吹き出し口より吹き出される空気が拡散されるようになる。
【００４８】
【発明の効果】
本発明は以上詳述したように、空気吹き出し口に設けられ複数の羽根を互いに平行させて回動することにより、空気吹き出し口より吹き出される平行風の風向を調整する通常モードと、空気吹き出し口より吹き出される空気を、各羽根により拡散または集中させる風向特性モードとを設け、かつ通常モード及び風向特性モードを、モード選択手段により連続して選択自在となすと共に、モード選択手段により羽根を閉位置に回動させることにより、空気吹き出し口を閉じるようにしたことから、モード選択手段を操作することにより、空気吹き出し口より吹き出される平行風の風向を調整する通常モードの選択と、空気吹き出し口より吹き出される空気を、拡散させて乗員に吹き出したり、集中させて吹き出す風向特性モードの選択が連続的に行えるため、操作性が向上すると共に、各羽根によって空気吹き出し口を閉じることができるため、風向調整装置を使用しないときの見栄えも向上する。
【００４９】
またモード選択手段を、ほぼ中間位置の通常モードより一方向へ回動させることにより、空気吹き出し口を閉じるようにし、またほぼ中間位置の通常モードより他方向へ回動させることにより、風向特性モードを選択できるようにしたことから、単一のモード選択手段により、空気吹き出し口を閉じる操作や、空気吹き出し口より吹き出される空気を、拡散させて乗員に吹き出したり、集中させて吹き出す風向特性モードの選択が回転方向を変えるだけで行えるため、操作性が大変よい。
【００５０】
さらに羽根により空気吹き出し口を閉じた際、羽根に連動してケース内を閉鎖するシャッタバルブを、ケース内に開閉自在に設けたことから、各羽根によって空気吹き出し口を閉じると、シャッタバルブによりケース内も閉鎖されるため、空気吹き出し口より吹き出される空気をほぼ完全に遮断することができる。
【００５１】
またモード選択手段を、通常モード及び風向特性モードを連続的に選択する１個の操作ダイアルと、操作ダイアルにより回転される中間ギアと、中間ギアに形成されたカム溝に係合された前後動自在なスライドリンクとから構成し、かつ操作ダイアルにより中間ギアを介してスライドリンクを前後動させることにより、スライドリンクに連動された各羽根を、通常モード位置及び風向特性モード位置に連続的に回動させるようにしたことから、１個の操作ダイアルで通常モード及び風向特性モードが連続的に選択できるため、従来の別の操作手段により選択していたものに比べて操作性が格段に向上する。
【００５２】
さらに操作ダイアルの回転をギアによりスライドリンクに伝達する構成のため、モード選択手段の動作がスムーズとなり、これによって通常モード及び風向特性モードの選択が小さな操作力で容易に行えると共に、モード選択手段を少ない部品点数で構成できるため、組立て時の作業性がよい上、コンパクトに構成できることから、風向調整装置の小型化が図れるようになる。
【００５３】
また操作ダイアルの操作部を、ケースの開口部に取り付けられたフィニッシャの前面に突出させると共に、スライドリンクに形成したガイド孔に、各羽根より突設した連結ピンを嵌合することにより、スライドリンクと各羽根を連動させたことから、操作ダイアルの操作部を指で回転させることにより、通常モードと風向特性モードの選択が連続的に行えるため、操作性が大変よい。
【００５４】
しかもケースをインストルメントパネルの上部に設置すれば、運転席や助手席から容易にモード選択手段を操作できるため、操作性がよいと共に、空気吹き出し口より吹き出される空気を、車室内全体に循環させることができるため、車室内の空調が良好に行えるようになる。
【図面の簡単な説明】
【図１】本発明の実施の形態になる風向調整装置の斜視図である。
【図２】本発明の実施の形態になる風向調整装置の分解斜視図である。
【図３】本発明の実施の形態になる風向調整装置の断面図である。
【図４】本発明の実施の形態になる風向調整装置の作用説明図である。
【図５】本発明の実施の形態になる風向調整装置の作用説明図である。
【図６】本発明の実施の形態になる風向調整装置の作用説明図である。
【図７】本発明の実施の形態になる風向調整装置の作用説明図である。
【図８】本発明の実施の形態になる風向調整装置の変形例を示す分解斜視図である。
【図９】本発明の実施の形態になる風向調整装置の変形例を示す作用説明図である。
【符号の説明】
２      ケース
２ａ    開口部
３      羽根
３ｂ    連結ピン
５      スライドリンク
５ａ    ガイド孔
６      モード選択手段
６ａ    中間ギア
６ｂ    カム溝
６ｄ    操作ダイアル
６ｆ    操作部
８      フィニッシャ
１０      シャッタバルブ
【図１】
0004721590.tif 000002
【図２】
0004721590.tif 000003
【図３】
0004721590.tif 000004
【図４】
0004721590.tif 000005
【図５】
0004721590.tif 000006
【図６】
0004721590.tif 000007
【図７】
0004721590.tif 000008
【図８】
0004721590.tif 000009
【図９】
0004721590.tif 000010